(57)【要約】  シフトピストン、特にはシフトエレメントのシフトピストン、の動作の際に、機械的負荷を低減し、且つ、シフト速度を高めるための方法に関している。シフトピストン（１）の制御圧と対向する側（反対側）は、対向換気パルスによって、所定の態様で換気される。すなわち、シフトシリンダ（２）において最大の可能性ある換気圧力が形成できないように、換気される。ここで、対向換気パルスの継続時間及び振幅は、十分な終端位置ダンパ作用を同時に達成可能であって、迅速なピストン運動が実現可能であるように、規定される。
2009520164.tif 000002
【特許請求の範囲】
【請求項１】
シフトピストン、特にはシフトエレメントのシフトピストン、の動作の際に、機械的負荷を低減し、且つ、シフト速度を高めるための方法であって、
シフトピストン（１）の制御圧と対向する側（反対側）は、対向（側）換気パルスによって、所定の態様で、シフトシリンダ（２）において最大の可能性ある換気圧力が形成できないように、換気され、
対向換気パルスの継続時間及び振幅は、十分な終端位置ダンパ作用を同時に達成可能であって、迅速なピストン運動が実現可能であるように、規定されている
ことを特徴とする方法。
【請求項２】
対向換気パルスは、
シフトピストンの動作よりも少し前に、すなわち、目標位置への弁のパワー供給よりも少し前に、生成され、
目標位置への弁のパワー供給の際に、遮断される、あるいは、所定時間だけ重複して保持される
ことを特徴とする請求項１に記載の、シフトピストンの動作の際に、機械的負荷を低減し、且つ、シフト速度を高めるための方法。
【請求項３】
対向換気パルスの開始と、目標位置への弁のパワー供給の開始と、の間の時間間隔は、所望のダンパ作用及びシフト速度に応じて、調整される
ことを特徴とする請求項２に記載の、シフトピストンの動作の際に、機械的負荷を低減し、且つ、シフト速度を高めるための方法。
【請求項４】
対向換気パルスは、シフトピストンの動作の開始後に、すなわち、目標位置への弁のパワー供給の開始後に、生成される
ことを特徴とする請求項１に記載の、シフトピストンの動作の際に、機械的負荷を低減し、且つ、シフト速度を高めるための方法。
【請求項５】
目標位置への弁のパワー供給の開始と、対向換気パルスの開始と、の間の時間間隔は、所望のダンパ作用及びシフト速度に応じて、調整される
ことを特徴とする請求項４に記載の、シフトピストンの動作の際に、機械的負荷を低減し、且つ、シフト速度を高めるための方法。
【請求項６】
対向換気パルスの、タイミング、継続時間及び／または振幅は、シリンダ構造に依存している
ことを特徴とする請求項１乃至５のいずれかに記載の、シフトピストンの動作の際に、機械的負荷を低減し、且つ、シフト速度を高めるための方法。
【請求項７】
ディファレンシャルシリンダの場合において、前記のタイミング、継続時間及び／または振幅は、運動方向に依存しており、
３ポジションシリンダの場合において、初期位置及び目標位置に依存している
ことを特徴とする請求項６に記載の、シフトピストンの動作の際に、機械的負荷を低減し、且つ、シフト速度を高めるための方法。
【発明の詳細な説明】
【技術分野】
【０００１】
本発明は、特許請求の範囲の請求項１の上位概念に従う、シフトピストン、特にはシフトエレメントのシフトピストン、の動作の際に、機械的負荷を低減し、且つ、シフト速度を高めるための方法に関している。
【背景技術】
【０００２】
従来技術によれば、シフトエレメントは、作動時まで、最初、反対側が換気される。所望の運動のために圧力がかけられると直ぐに、当該反対側は通気される。この場合、そのエアクッションによって、また、当該運動によって生じる動圧によって、終端停止がダンパ作用を受けて、機械的負荷が低減される。この概念の実現のために、従来技術から、様々なシステムが知られている。
【０００３】
ＤＥ１９７０２９４８Ｃ２が開示する弁構造は、メインバルブを備えており、それは、圧力媒体源に接続可能な供給チャネルと、圧力消費部（Verbraucher）に接続可能な作動チャネルと、当該供給チャネル及び作動チャネルの間の流体接続を制御するように作動可能なバルブ要素（Ventilglied）と、を有している。当該バルブ要素には、加圧面が付設されており、それは、バルブ要素を運動（移動）させるために、作動圧がかかっている流体であるプレ制御媒体（Vorsteuermedium）で加圧可能である。当該プレ制御媒体は、圧力媒体源から供給されプレ制御弁で制御されるプレ制御チャネルを介して、供給可能である。
【０００４】
この場合、プレ制御チャネルにおいて、作動圧の基準（供給）として機能する圧力調整器が介在される。また、バルブ要素には、加圧面に軸方向に対抗して向けられた反対加圧面が付設されており、当該反対加圧面は、反対圧力チャネルを介して、作動チャネル内で制御される作動圧で加圧される。
【０００５】
ＤＥ１０１５６０９９Ｂ４は、アーマチュア（Armature）の圧力媒体で作動する空圧式の駆動部のための制御装置を開示している。それは、ハウジングと、圧力媒体供給管と、圧力媒体排出管と、換気部（Entlueftung）と、シフトピストンと、複数のピストンディスクと、を備えている。前記シフトピストンは、シリンダ孔内を案内されるようになっている。また、前記ピストンディスクによって、シリンダ孔は複数の制御室に分離区画されている。ここで、第１シフト位置から第２シフト位置への、及びその逆の、シフトピストンの移動のために、制御室の一つが、制御媒体によって加圧され得る、あるいは、通気され得る。シフトピストンのシフト位置に応じて、圧力媒体排出管は、圧力媒体供給管と結合されるか、あるいは、換気部と結合される。この結合は、別の制御室を介してなされる。この場合、前記制御室の一つは、換気のために換気部と結合可能である。また、制御媒体は、ハウジング内に配置される。
【発明の開示】
【０００６】
従来技術から知られた解決方法によれば、不利なことに、前記反対側での空気の流出によって、シフト時間の短縮が制限される。
【０００７】
本発明の課題は、シフトピストン、特にはシフトエレメントのシフトピストン、の動作の際に、機械的負荷を低減し、且つ、シフト速度を高めるための方法であって、その実施によって迅速なピストン運動と十分な終端位置ダンパ作用とを達成可能な方法、を提供することである。
【０００８】
前記課題は、特許請求の範囲の請求項１の特徴によって解決される。本発明による更なる実施の形態及び利点が、下位請求項から理解される。
【０００９】
それによれば、シフトピストン、特にはシフトエレメントのシフトピストン、の動作の際に、機械的負荷を低減し、且つ、シフト速度を高めるための方法であって、シフトピストンの制御圧と対向する側（反対側）が、対向（側）換気パルスによって、所定の態様で、シフトシリンダにおいて最大の可能性ある換気圧力が形成できないように、換気される、という方法が提供される。
【００１０】
本発明によれば、対向換気パルスの継続時間及び振幅は、十分な終端位置ダンパ作用を同時に達成可能であって、迅速なピストン運動が実現可能であるように、規定される。
【００１１】
この場合、対向換気パルスは、シフトピストンの動作よりも少し前に、すなわち、目標位置への弁のパワー供給よりも少し前に、生成され得て、目標位置への弁のパワー供給の際に、遮断され得る、あるいは、所定時間だけ重複して保持され得る。対向換気パルスの開始と、目標位置への弁のパワー供給の開始と、の間の時間間隔は、本発明に従えば、所望のダンパ作用及びシフト速度に応じて、調整され得る。
【００１２】
本発明による方法のある実施例（変形例）においては、前記反対側を、所定のダンパ作用を達成するために、シフトピストンの加圧の開始後に初めて、あるいは、目標位置への弁へのパワー供給の開始後に初めて、対向換気パルスによって換気することが、提案される。
【００１３】
本発明によれば、対向換気パルスの、タイミング、継続時間及び／または振幅は、シリンダ構造（ディファレンシャルシリンダ、等価ギヤ段シリンダ、２ポジションシリンダ、３ポジションシリンダ）に依存する。ディファレンシャルシリンダの場合、前記のタイミング、継続時間及び／または振幅は、更に運動方向に依存し、３ポジションシリンダの場合、初期位置及び目標位置に依存する。
【００１４】
対向換気パルスのタイプ（Art）及び継続時間は、更に、有利な態様では、必要とされるシフト速度（例えば、パワーシフト、スリップシフト（Schonschaltung）、等）に依存し得る。
【００１５】
対向換気パルスの投入及び／または遮断は、イベント制御されて（ereignisgesteuert）、及び／または、時間制御されて、実施され得る。
【００１６】
本発明の概念によって、シフト時間が短縮される一方、十分な可変の終端位置ダンパ作用が実現される。さらなる利点は、対向（側）換気に必要な弁が、より小さく設計され得ることにある。これにより、電流消費量が低減される。
【発明を実施するための最良の形態】
【００１７】
本発明は、以下に、添付の図面に基づいて例示的に詳述される。
【００１８】
図１は、圧力配管と換気ポートとを有するシフトピストンの概略図である。
【００１９】
図２は、対向（側）換気のための弁の信号と、ピストンの目標位置のための弁の信号と、の例示的な経過を示している。
【００２０】
図３は、本発明に従う、対向（側）換気のための弁の信号と、ピストンの目標位置のための弁の信号と、の別の更なる例示的な経過を示している。
【００２１】
図１には、シフトピストン１が開示されている。その中に、シフトシリンダ２が、軸方向に移動可能に配置されている。可能な制御運動が、矢印によって示されている。符合３、３’は、圧力配管を示しており、符合４、４’は、換気ポートを示している。シフトピストン１の右への制御運動を得るために、圧力配管３を介して、シフトピストンの制御運動の方向とは反対側（制御側）が、制御圧力をかけられる。対向（側）換気パルスによる、シフトピストン１の制御圧とは逆の側（反対側）の規定された換気によって、本発明に従って、十分な終端位置ダンパ作用と高いシフト速度とが達成される。
【００２２】
この場合、対向換気パルスの継続時間及び振幅は、以下のように規定される。すなわち、ピストン速度を制限（抑制）するような最大の可能性ある換気圧力が形成できないように、規定される。特に、対向換気パルスの継続時間及び振幅によって、シフト速度（例えば、パワーシフト、スリップシフト（Schonschaltung）、等）と終端位置ダンパ作用とが調整される。更に、対向換気パルスの、タイミング、継続時間及び振幅は、シリンダ構造に依存している。
【００２３】
対向換気パルスの経過（過程）の２つの可能な例が、図２及び図３の対象である。
【００２４】
図２に示された経過では、前記反対側が、シフトピストンの加圧の開始後に初めて、あるいは、目標位置への弁へのパワー供給の開始後に初めて、対向換気パルスによって換気される。これにより、規定のダンパ作用が調整される。この場合、目標位置への弁へのパワー供給の開始と、対向換気の開始と、の間の時間間隔は、所望のダンパ作用及びシフト速度に応じて、調整可能である。
【００２５】
図３には、シフトピストンの動作よりも少し前に、すなわち、目標位置への弁のパワー供給よりも少し前に、対向換気パルスが生成され、所定時間だけ重複して保持される場合が示されている。対向換気の開始と、目標位置への弁のパワー供給の開始と、の間の時間間隔は、本発明に従って、所望のダンパ作用及びシフト速度に応じて、調整され得る。
【図面の簡単な説明】
【００２６】
【図１】圧力配管と換気ポートとを有するシフトピストンの概略図である。
【図２】対向換気のための弁の信号と、ピストンの目標位置のための弁の信号と、の例示的な経過を示している。
【図３】本発明に従う、対向換気のための弁の信号と、ピストンの目標位置のための弁の信号と、の別の更なる例示的な経過を示している。
【図１】
2009520164.tif 000003
【図２】
2009520164.tif 000004
【図３】
2009520164.tif 000005
【国際調査報告】
2009520164.tif 000006
2009520164.tif 000007
2009520164.tif 000008
2009520164.tif 000009